(57)【要約】      （修正有）【課題】駐車面や建物の水平面に載置配設するのみで、簡便にそれらの箇所を緑化できる、はん用性の高いプランターで、適度な保水能力を有し、特別な作業や装置を用いずに保水量を適正に保つことのできるプランターを提供する。【解決手段】上面が開放された略直方体状で、相互に対向する内壁面１ｂ，１ｂに連設され内底面１ａに立設された突条２，…，突条２，…の下方の外底面に凹設され２つの外壁面１ｄ，１ｄを連通する排水溝４，…，及び突条２，…の上端付近にせん設され内部と排水溝４を連通する排水孔５，…を具えたプランターである。好ましくは、排水溝４と連通する枠排水溝を有する固定枠に囲じょうされて用いられる。突条２，…で区画された凹部３，…に水が蓄えられると共に、余剰の水が排水孔５，…から排水溝４，…を通ってプランター１外に排出され、更に枠排水溝から固定枠外に排出される。【選択図】図１
0003147134.tif 000002
【実用新案登録請求の範囲】
【請求項１】
上面が開放された略直方体状で、相互に対向する内壁面に連設され内底面に立設された突条，該突条の下方の外底面に凹設され２つの外壁面を連通する排水溝，及び前記突条の上端付近にせん設され内部と排水溝を連通する排水孔を具えてなることを特徴とするプランター。
【請求項２】
排水溝と連通する枠排水溝を有する固定枠に囲じょうされてなることを特徴とする請求項１に記載のプランター。
【請求項３】
剛性を有する合成樹脂で作製されてなることを特徴とする請求項１又は請求項２に記載のプランター。
【請求項４】
合成樹脂が、ポリエチレンを主成分とする合成樹脂であることを特徴とする請求項３に記載のプランター。
【考案の詳細な説明】
【技術分野】
【０００１】  本考案は、駐車場や建物の緑化に適したプランターに関する。
【背景技術】
【０００２】  植物を配置することにより、駐車場等の緑化を行うことを目的とした技術が開示されている。【０００３】  例えば、複数階の各床の内、少なくとも最上階の床が、上下に光が通過可能な透光部を有する床材で形成してある多層駐車場であって、前記透光部の直下に、植物を生育自在な状態で保持する緑化部を設けてある多層駐車場，及び該多層駐車場に用いられる駐車場緑化装置が開示されている（例えば、特許文献１参照）。該駐車場緑化装置には、グレーチング，パンチングメタル，エキスパンドメタル等から選ばれる床材をかん入可能で、取付用のボルト挿通穴がせん設されたフランジ、及び排水穴を具えたプランターが用いられている。【０００４】  また、節水式屋上緑化、一般住宅緑化テラス、集合住宅緑化テラス、道路分離帯緑化スクリーン、住宅・建物境界緑化スクリーン、緑化ユニット生垣、建物・駐車場緑化オーニング、立面緑化装飾インテリアから選択される立面・平面の緑化スクリーン状に形成したカロライナジャスミン緑化ユニットを用いたことを特徴とする緑化施設又は緑化製品が開示されている（例えば、特許文献２参照）。該緑化ユニットは、つる性植物であるカロライナジャスミンを、長茎に成長させてその先端をネットに絡ませる状態又は緑化スクリーン状にして形成されたものであり、駐車場にも適用されると記載されている。【０００５】
【特許文献１】特開２００５−１３９６６２号公報
【特許文献２】特開２００３−１９９４２１号公報
【考案の開示】
【考案が解決しようとする課題】
【０００６】  しかしながら、特許文献１に記載の駐車場緑化装置は、多層駐車場の二階以上の階の床に用いることを目的としており、平面駐車場や多層駐車場の一階に適用するためには、地面を掘削し地中に配水管を設ける煩雑な事前作業が必要である。特に、既存の駐車場を緑化するためには、煩雑な改修工事を必要とする。【０００７】  また、一般的な建物の屋上，ベランダ，バルコニー等に適用することは困難であり、はん用性に乏しい。【０００８】  プランターの底の最も低い部分に排水穴がせん設されていて、それのみではプランター内の水が徐々に減少し、終には枯渇してしまう。したがって、植物を栽培するためには、前記プランターに水を供給する別の装置が必要となる。【０００９】  特許文献２に記載の緑化ユニットは、オーニングとして用いる用途には適するものの、平面駐車場や多層駐車場の駐車面、又は屋上，ベランダ，バルコニー等の建物の水平面に載置して用いることには向かない。風に抗して安定に設置することが困難であり、また通行の妨げとなってしまうからである。【００１０】  上記問題点に鑑み、本考案は、平面駐車場や多層駐車場の駐車面、又は屋上，ベランダ，バルコニー等の建物の水平面に載置配設するのみで、簡便にそれらの箇所を緑化できる、はん用性の高いプランターを提供することを課題とする。また、適度な保水能力を有し、特別な作業や装置を用いずに保水量を適正に保つことのできるプランターを提供することを課題とする。
【課題を解決するための手段】
【００１１】  上記課題を解決する第１の考案は、上面が開放された略直方体状で、相互に対向する内壁面に連設され内底面に立設された突条，該突条の下方の外底面に凹設され２つの外壁面を連通する排水溝，及び前記突条の上端付近にせん設され内部と排水溝を連通する排水孔を具えてなることを特徴とするプランターである。【００１２】  第２の考案は、排水溝と連通する枠排水溝を有する固定枠に囲じょうされてなる、第１の考案に係るプランターである。【００１３】  第３の考案は、剛性を有する合成樹脂で作製されてなる、第１又は第２の考案に係るプランターである。【００１４】  第４の考案は、合成樹脂が、ポリエチレンを主成分とする合成樹脂である、第３の考案に係るプランターである。
【考案の効果】
【００１５】  本考案に係るプランターは、その内部に培養土を入れ植物を植え付けて用いられ、駐車面又は建物の水平面に載置し又は配設する簡便な操作のみでそれらの箇所を緑化することができる。それによって、放射熱の低減による環境改善や、利用者に心の安らぎを与える効果が得られる。【００１６】  突条で区画された凹部に水が蓄えられると共に、余剰の水は排水孔から排水溝を通りプランター外へ排出される様にされている。したがって、本考案のプランターは所定の保水能力を有していて、プランター内に加えられる水が極端に少ない場合を除き、全ての水が排出されて培養土が乾燥してしまうことを防止できる。また、過剰の水のために培養土が上部開口から流出して失われ、又は植物が根腐れすることを回避できる。本考案を屋外に配置して用いる場合には、極端に降雨量が少なくない限り、プランター内の保水量を適正に保つための特別な作業や装置を要しない。【００１７】  第２の考案に係るプランターは、固定枠に囲じょうされているから、風のために意図せず動いてしまうことが回避され、安定に載置される。枠排水溝が、プランターの排水溝と連通して設けられているから、プランターから排出された余剰の水は、枠排水溝から固定枠外に排出され、固定枠内に滞留しない。【００１８】  第３の考案に係るプランターは、剛性を有する合成樹脂で作製されてなるから、加工成形が容易であって、射出成型等によって大量生産することも可能である。また、合成樹脂で作製することによって軽量化されているから、容易に運搬し又は設置することができる。【００１９】  第４の考案に係るプランターは、ポリエチレンを主成分とする合成樹脂で作製されているから、充分な剛性と耐熱性を有し、その形状を維持したまま長期に亘り継続的に使用することができ、日光に曝される屋外での使用にも堪える。ポリエチレンを主成分とする合成樹脂を安価に入手できるから、製造コストを抑えることも可能である。【００２０】  充分な耐薬品性を有するポリエチレンが主成分であるから、自動車から排出される排気ガスに接触しても、若しくは、ガソリン，エンジンオイル，エチレングリコールを含有する不凍液等が自動車から意図せず漏出したとしても、これらによって破損又は変形し難く、駐車面の緑化に適する。【００２１】  第４の考案は、廃プラスチックを原料として用いることによっても、達成可能である。プラスチック廃棄物の一部は、分離選別，粉砕等の工程を経てフレーク状又はペレット状に加工され再資源化されるが、このうち、ポリエチレンを主成分とするフレークやペレットが、本考案の材料として好適に用いられる。この場合、廃プラスチックの再利用によって資源を有効活用することができる。廃プラスチックの埋立処分量を低減することによって環境汚染を防ぐと共に、焼却処分量を低減することによって、温暖化ガスの主因とされる二酸化炭素の排出量を抑制する効果も期待される。
【考案を実施するための最良の形態】
【００２２】  以下に、本考案を実施するための最良の形態を、図面を参照しつつ詳細に説明するが、本考案はこれに限定されるものではない。【００２３】  図１は、本考案のプランターを示す斜視図である。図２は、本考案のプランターを示す裏面斜視図である。図３は、プランターを固定枠内に載置配設した状態を示す斜視図である。図４は、プランターを固定枠内に載置配設した状態を示す側方視断面図である。【００２４】  本考案に係るプランター１は、上面が開放された略直方体状で、相互に対向する内壁面１ｂ，１ｂに連設され内底面１ａに立設された突条２，…，突条２，…の下方の外底面１ｃに凹設され２つの外壁面１ｄ，１ｄを連通する排水溝４，…，及び突条２，…の上端付近にせん設され内部と排水溝４，…を連通する排水孔を具えてなる。【００２５】  プランター１の材質は特に限定されず、例えぱ、ポリエチレン，ポリプロピレン，ポリスチレン，ＡＢＳ樹脂，ポリ塩化ビニル，ポリメタクリル酸エステル，ポリアミド，ポリイミド，ポリカーボネート，ポリテレフタル酸エステル等の剛性を有する合成樹脂若しくはそれらのうち２種以上の混合物，剛性を有する金属，セラミックス，又は木材を用いることができる。加工成形が容易でプランター１の軽量化が可能な合成樹脂が好適に用いられ、充分な剛性，耐熱性，及び耐薬品性を有するポリエチレン、又はポリエチレンを主成分とする合成樹脂がより好適に用いられる。【００２６】  プランター１は、廃プラスチックを原料に用いて作製することもできる。この場合、再資源化処理によってフレーク状又はペレット状に加工された、ポリエチレンを主成分とする廃プラスチック材料が好適に用いられ、それによって上記特性が発揮される。【００２７】  プランター１は、上面視略正方形状の略直方体状に形成され、その上面が開放されて、上部開口１ｅが設けられている。上面が開放された略直方体状であれば必ずしもこの形状に限定されず、例えば、上面視長方形状とされていても良い。内底面１ａと内壁面１ｂ，…及び外底面１ｃと外壁面１ｄ，…が夫々直交する形状として図示されているが、プランター１の形状は必ずしもこれに限られない。例えば、全ての外壁面１ｄ，…を外底面１ｃに直交させると共に、全ての内壁面１ｂ，…が内底面１ａと鈍角を成す様に形成して、プランター１内部が、内底面１ａから上部開口１ｅに向けて徐々に幅広くなる様にしても良い。【００２８】  プランター１のサイズは特に限定されないが、駐車面の緑化に用いる場合には、四輪自動車の下方に載置可能とするために、四輪自動車の車幅よりも幅狭くされると共に、その高さが四輪自動車の車体の最低地上高よりも低くされることが好ましい。より好ましくは、プランター１を、約３０ｃｍ平方の上面視略正方形状で、約５ｃｍの高さに形成する。充分な軽量化と載置後の安定性を確保できるサイズであり、また、複数のプランター１，…を車幅方向に並べて四輪自動車の下方に載置することが可能だからである。また、プランター１の高さが四輪自動車の車体の最低地上高よりも充分に低くされていて、接触のために車体を傷付けることが確実に回避されるからである。【００２９】  略直方体状に形成された突条２，…が、内底面１ａ上に立��され、相互に対向する内壁面１ｂ，１ｂに連設されている。それによって、内底面１ａは複数の凹部３，…に区画され、プランター１内の水が凹部３，…に蓄えられる様にされている、突条２，…の形状は、必ずしも略直方体状に限られず、例えば、扇形柱状又は任意多角柱状であっても良い。また、突条２，…の数は、特に限定されない。【００３０】  図１においては、突条２，…は、相互に対向する内壁面１ｂ，１ｂに直交する様にして連設されているが、必ずしもこれに限られず、例えば内壁面１ｂに対して任意角度で斜設されていても良く、又は相互に略直交する内壁面１ｂ，１ｂに連設されていても良い。加工成形を容易ならしめるために、突条２，…が、相互に対向する内壁面１ｂ，１ｂに直交する様にして連設されることが好ましい。また、水平でない場所に載置されてもプランター１内の水が偏在しない様、相互に交わる縦横の突条２，…を設け、複数の凹部３，…を縦横に列設することが好ましい。【００３１】  外底面１ｃにおける突条２，…の下方に排水溝４，…が凹設されていて、排水溝４，…によって、相互に対向する壁の外壁面１ｄ，１ｄが連通されている。図２においては、内底面１ａの一部を略コ字状に屈曲することによって、突条２，…と共に略直方体状の排水溝４，…を形成しているが、必ずしもこれに限られず、突条２，…と排水溝４，…が互いに異なる形状とされていても良い。また、排水溝４，…の形状は、必ずしも略直方体状に限られず、例えば、扇形柱状又は任意多角柱状であっても良い。【００３２】  突条２，…の上端付近に排水孔５，…がせん設されていて、排水孔５，…によって、プランター１の内部と排水溝４，…は連通されている。排水孔５，…は、図中においては略直方体状に形成された突条２，…の上端面にせん設されているが、凹部３，…に所定量の水を蓄えられる様に突条２，…の上端付近に設けられていれば良く、そのせん設高さ位置を必ずしも突条２，…上端の高さ位置に限定するものではない。また、排水孔５，…の水平方向の位置は、図１に示される縦横の突条２，…が交わる位置に限られず、突条２，…の任意の位置であって良い。【００３３】  排水孔５，…の形状は、図示される略円柱状に限られず、例えば、だ円柱状，扇形柱状，任意多角柱状等の任意の柱状であって良いが、構造ぜい弱とならない様、凹りょうを持たない略円柱状又はだ円柱状とされることが好ましく、加工容易な略円柱状がより好ましい。また、排水孔５，…のサイズ及び数は、特に限定されない。【００３４】  相互に略直交する内壁面１ｂ，１ｂは、図１に示される様に、四分円筒状補強部１ｆで連結されている。また、相互に連設された内壁面１ｂと突条２上面は、三角形状補強部１ｇで連結されている。四分円筒状補強部１ｆ，…及び三角形状補強部１ｇ，…によってプランター１は補強され、容易に変形又は破損しない様にされている。これらの補強部は、本考案に必須のものではなく、他の形状の補強部が設けられていても良く、又は、四分円筒状補強部１ｆ，…及び三角形状補強部１ｇ，…の一部又は全部が省略されていても良い。【００３５】  本考案に係るプランター１は、好ましくは、図３に示される様に、固定枠６内に載置配設して用いられる。固��枠６の材質は特に限定されず、例えば、剛性を有する合成樹脂若しくはそれらの混合物，剛性を有する金属，石材，コンクリート，セラミックス，又は木材が用いられるが、加工成形が容易な合成樹脂が好適に用いられ、充分な剛性，耐熱性，及び耐薬品性を有するポリエチレン、又はポリエチレンを主成分とする合成樹脂がより好適に用いられる。廃プラスチックを、原料として用いることも可能である。【００３６】  固定枠６には上下方向の貫通孔がせん設され、貫通孔に挿通されたアンカーボルト６ｃ，…で、駐車面又は建物の水平面に止着され固定されている。固定枠６は、単に載置して用いることもできるが、安定に固定するために、止着材を用いて止着されることが好ましい。止着材の種類は、必ずしもアンカーボルトに限られず、ネジ，ボルト，ピン等の任意の止着材を用いることができる。また、複数の角柱状の部材で固定枠６を形成する場合には、例えば、図３に示す様に、連結部材６ｂ，…をら着する等して、それら部材を接合しても良い。【００３７】  図３において、固定枠６は、載置配設された複数のプランター１，…を囲じょうする様にして、上面視略長方形状に設置されている。固定枠６の設置形状は特に限定されず、例えば互いに平行な２直線状とされていても良いが、プランター１，…を安定に配置するために、略長方形状とされることが好ましい。【００３８】  駐車面に設置される場合には、固定枠６の長手方向の長さが四輪自動車の車長より短くされ、短手方向の長さが四輪自動車の車幅より幅狭くされると共に、立設高さが四輪自動車の車体の最低地上高よりも低くされることが好ましい。個々の駐車スペースに本考案を載置配設することによって、通行を妨げることなく、広い面積を緑化できるからである。プランター１，…の高さが上記した約５ｃｍとされている場合には、例えば、一辺約７ｃｍの正方形状断面を有する四角柱状の部材で固定枠６を形成すると、風が直接プランター１，…に当たることが回避され、プランター１，…を安定に載置し続けることができる。【００３９】  固定枠６内部の、長手方向及び短手方向の長さは、夫々、プランター１の１辺の長さの整数倍に等しくされることが好ましい。プランター１，…を縦横に並べて固定枠６内に載置するのみで、プランター１，…が安定に配置されるからである。【００４０】  固定枠６の下端面には、固定枠６内外を通ずる枠排水溝６ａ，…が凹設されている。枠排水溝６ａ，…は、プランター１の排水溝４，…と連通する位置に設けられていて、プランター１の排水孔５，…から排出された余剰の水が、排水溝４，…及び枠排水溝６ａ，…を通って固定枠６外へ導かれる様にされている。したがって、固定枠６内にプランター１，…を載置配設した場合においても、プランター１，…は、その保水能力を発揮すると共に、余剰の水を排出して保水量を適正に保つことができる。【００４１】  プランター１，…の内部に入れられる培養土７の種類は特に限定されず、任意種の土に、肥料，腐葉土，土壌改良剤等の任意の添加物を添加し又は添加せずに用いることができる。また、培養土７の代りに、天然繊維，合成繊維，又は植物育成基盤材等を用いることもできる。シラスを主材とする植物育成基盤材を用いる��、プランター１の更なる軽量化と排水性の向上が可能である。【００４２】  プランター１に植え付けられる植物８の、生物種としての種類は特に限定されない。駐車場にプランター１，…を載置配設する場合には、車両を傷付けず美観を保つために、背の低い草花が好適に用いられる。乾燥に強く、短い日照時間でも成長可能な、イワダレソウがより好適に用いられる。
【図面の簡単な説明】
【００４３】
【図１】本考案のプランターを示す斜視図である。
【図２】本考案のプランターを示す裏面斜視図である。
【図３】プランターを固定枠内に載置配設した状態を示す斜視図である。
【図４】プランターを固定枠内に載置配設した状態を示す側方視断面図である。
【符号の説明】
【００４４】１  プランター
１ａ  内底面
１ｂ  内壁面
１ｃ  外底面
１ｄ  外壁面
１ｅ  上部開口
１ｆ  四分円筒状補強部
１ｇ  三角形状補強部
２  突条
３  凹部
４  排水溝
５  排水孔
６  固定枠
６ａ  枠排水溝
６ｂ  連結部材
６ｃ  アンカーボルト
７  培養土
８  植物
【図１】
0003147134.tif 000003
【図２】
0003147134.tif 000004
【図３】
0003147134.tif 000005
【図４】
0003147134.tif 000006